(57)【要約】【課題】マルチプロジェクションシステムにおけるパラメータの設定操作を簡素化すること。【解決手段】自機を含む複数の画像表示装置により表示される画像が全体で一つの画像となるように前記複数の画像表示装置が関連付けられていることを示す関連機器情報を生成する関連機器情報生成部と、生成された前記関連機器情報を情報処理装置に通知する関連機器情報通知部と、前記情報処理装置において前記複数の画像表示装置について入力された画像表示装置の動作を制御するための動作制御情報を取得する動作制御情報取得部と、取得された前記動作制御情報を自機と関連付けられている他の前記画像表示装置に通知する動作制御情報通知部と、を備える。【選択図】図１６
2016164620.tif 000002
【特許請求の範囲】
【請求項１】
自機を含む複数の画像表示装置により表示される画像が全体で一つの画像となるように前記複数の画像表示装置が関連付けられていることを示す関連機器情報を生成する関連機器情報生成部と、
生成された前記関連機器情報を情報処理装置に通知する関連機器情報通知部と、
前記情報処理装置において前記複数の画像表示装置について入力された画像表示装置の動作を制御するための動作制御情報を取得する動作制御情報取得部と、
取得された前記動作制御情報を自機と関連付けられている他の前記画像表示装置に通知する動作制御情報通知部と、
を備えることを特徴とする画像表示装置。
【請求項２】
自機の個別機器情報を取得する個別機器情報取得部と、
取得された前記個別機器情報を前記情報処理装置に通知する個別機器情報通知部を備え、
前記動作制御情報通知部は、前記情報処理装置において前記複数の画像表示装置について入力された前記動作制御情報が取得された場合、取得された前記動作制御情報を前記他の前記画像表示装置に通知することを特徴とする請求項１に記載に画像表示装置。
【請求項３】
前記複数の画像表示装置の機器情報に基づき、前記複数の画像表示装置を関連付けることができるか否かを判定する関連付判定部を備えることを特徴とする請求項１又は２に記載の画像表示装置。
【請求項４】
前記複数の画像表示装置のうち代表となる代表機器を決定する代表機器決定部を備え、
自機が代表機器に決定された場合、
前記動作制御情報取得部は、前記情報処理装置において前記複数の画像表示装置について入力された前記動作制御情報を取得し、
前記動作制御情報通知部は、取得された前記動作制御情報を前記他の前記画像表示装置に通知することを特徴とする請求項１乃至３いずれか１項に記載の画像表示装置。
【請求項５】
前記複数の画像表示装置を関連付けるための関連付操作を受け付ける関連付操作受付部を備え、
前記代表機器決定部は、前記関連付操作が受け付けられた場合、自機を前記代表機器に決定することを特徴とする請求項４に記載の画像表示装置。
【請求項６】
前記代表機器決定部は、前記複数の画像表示装置のうち自機の優先順位が最も高い場合、自機を前記代表機器に決定することを特徴とする請求項４に記載の画像表示装置。
【請求項７】
自機を含む複数の画像表示装置により表示される画像が全体で一つの画像となるように前記複数の画像表示装置が関連付けられていることを示す関連機器情報を生成するステップと、
生成された前記関連機器情報を情報処理装置に通知するステップと、
前記情報処理装置において前記複数の画像表示装置について入力された画像表示装置の動作を制御するための動作制御情報を取得するステップと、
取得された前記動作制御情報を自機と関連付けられている他の前記画像表示装置に通知するステップと、
を実行することを特徴とする画像表示装置の制御プログラム。
【請求項８】
複数の画像表示装置により表示される画像が全体で一つの画像となるように前記複数の画像表示装置が関連付けられていることを示す関連機器情報を生成する関連機器情報生成部と、
生成された前記関連機器情報に基づき、画像表示装置の動作を制御するための動作制御情報を前記複数の画像表示装置について共通して入力させるための動作制御情報入力画面を表示させる表示制御部と、
前記動作制御情報入力画面において前記複数の画像表示装置について入力された前記動作制御情報を取得する動作制御情報取得部と、
取得された前記動作制御情報を自機と関連付けられている他の前記画像表示装置に通知する動作制御情報通知部と、
を備えることを特徴とする画像表示制御システム。
【発明の詳細な説明】
【技術分野】
【０００１】
本発明は、画像表示装置、画像表示装置の制御プログラム、画像表示制御システムに関する。
【背景技術】
【０００２】
近年、プロジェクタや平面ディスプレイなどの画像表示装置を複数並べて疑似的に一つの大画面を映し出し、その大画面において一つの画像を表示するマルチプロジェクションシステムが知られている。
【０００３】
ユーザは、このようなマルチプロジェクションシステムを使用する際、表示される画像の明るさや輝度などのパラメータを各画像表示装置に設定する必要があるが、各画像表示装置に個別に設定操作を行わなければならないため、操作が煩雑になるといった問題があった。
【０００４】
そこで、ＰＣ（Ｐｅｒｓｏｎａｌ  Ｃｏｍｐｕｔｅｒ）などの制御端末から、マルチプロジェクションシステムに参加している画像表示装置のうちいずれかの画像表示装置に上記パラメータを設定することで、他の画像表示装置にもその設定が反映されるマルチプロジェクションシステムが提案され既に知られている（例えば、特許文献１を参照）。
【発明の概要】
【発明が解決しようとする課題】
【０００５】
ところが、従来のマルチプロジェクションシステムにおいては、マルチプロジェクションシステムに参加している画像表示装置も参加していない画像表示装置も区別なく制御端末上に表示される。そのため、ユーザは、マルチプロジェクションシステムを使用する際、どの画像表示装置にパラメータを設定すれば良いのかを容易には判断することができず、パラメータの設定操作が煩雑になるといった問題がある。
【０００６】
本発明は、このような課題を解決するためになされたものであり、マルチプロジェクションシステムにおけるパラメータの設定操作を簡素化することを目的とする。
【課題を解決するための手段】
【０００７】
上記課題を解決するために、本発明の一態様は、自機を含む複数の画像表示装置により表示される画像が全体で一つの画像となるように前記複数の画像表示装置が関連付けられていることを示す関連機器情報を生成する関連機器情報生成部と、生成された前記関連機器情報を情報処理装置に通知する関連機器情報通知部と、前記情報処理装置において前記複数の画像表示装置について入力された画像表示装置の動作を制御するための動作制御情報を取得する動作制御情報取得部と、取得された前記動作制御情報を自機と関連付けられている他の前記画像表示装置に通知する動作制御情報通知部と、を備える。
【発明の効果】
【０００８】
本発明によれば、マルチプロジェクションシステムにおけるパラメータの設定操作を簡素化することができる。
【図面の簡単な説明】
【０００９】
【図１】本発明の実施形態に係るマルチプロジェクションシステムの運用形態を示す図である。
【図２】本発明の実施形態に係るマルチプロジェクションシステムにけるプロジェクタによる投影面への投影画像の表示例を示す図である。
【図３】本発明の実施形態に係るマルチプロジェクションシステムにけるプロジェクタによる投影面への投影画像の表示例を示す図である。
【図４】本発明の実施形態に係るプロジェクタのハードウェア構成を模式的に示すブロック図である。
【図５】本発明の実施形態に係る制御端末のハードウェア構成を模式的に示すブロック図である。
【図６】本発明の実施形態に係るプロジェクタの機能構成を模式的に示すブロック図である。
【図７】本発明の実施形態に係る制御端末の機能構成を模式的に示すブロック図である。
【図８】本発明の実施形態に係るプロジェクタがマルチプロジェクションシステムを構成する際の処理を説明するためのシーケンス図である。
【図９】本発明の実施形態に係るプロジェクタが投影表示するペアリング設定画面の表示例を示す図である。
【図１０】本発明の実施形態に係るプロジェクタが投影表示する認証番号入力画面の表示例を示す図である。
【図１１】本発明の実施形態に係るプロジェクタが投影表示するエラー通知画面の表示例を示す図である。
【図１２】本発明の実施形態に係るプロジェクタが投影表示する認証号通知画面の表示例を示す図である。
【図１３】本発明の実施形態に係るプロジェクタが投影表示するペアリング失敗画面の表示例を示す図である。
【図１４】本発明の実施形態に係るプロジェクタが投影表示するペアリング状態画面の表示例を示す図である。
【図１５】本発明の実施形態に係るプロジェクタがマルチプロジェクションシステムを構成する際の処理を説明するためのシーケンス図である。
【図１６】本発明の実施形態に係る制御端末からプロジェクタの投影パラメータを設定する際の処理を説明するためのシーケンス図である。
【図１７】本発明の実施形態に係る制御端末が表示する設定機器選択画面の表示例を示す図である。
【図１８】本発明の実施形態に係る制御端末が表示するパラメータ設定画面の表示例を示す図である。
【図１９】本発明の実施形態に係る制御端末からプロジェクタの投影パラメータを設定する際の処理を説明するためのシーケンス図である。
【図２０】本発明の実施形態に係る制御端末からプロジェクタの投影パラメータを設定する際の処理を説明するためのシーケンス図である。
【図２１】本発明の実施形態に係る制御端末が表示する設定機器選択画面の表示例を示す図である。
【図２２】本発明の実施形態に係る制御端末が表示するパラメータ設定画面の表示例を示す図である。
【発明を実施するための形態】
【００１０】
以下、図面を参照して、本発明の実施形態を詳細に説明する。本実施形態においては、画像表示制御システムの例として、プロジェクタや平面ディスプレイなどの画像表示装置を複数並べて疑似的に一つの大画面を映し出し、その大画面において画像を表示するマルチプロジェクションシステムについて説明する。尚、本実施形態に係るマルチプロジェクションシステムにおいては、画像表示装置がプロジェクタである例について説明する。
【００１１】
まず、本実施形態に係るマルチプロジェクションシステムの運用形態について、図１〜図３を参照して説明する。図１は、本実施形態に係るマルチプロジェクションシステムの運用形態を示す図である。図２、３は、本実施形態に係るマルチプロジェクションシステムにけるプロジェクタ１による投影面６への投影画像の表示例を示す図である。
【００１２】
図１に示すように、本実施形態に係るマルチプロジェクションシステムは、プロジェクタ１ａ、１ｂ、１ｃ、１ｄが接続されたネットワーク３と、制御端末２が接続されたネットワーク４とが、インターネットや電話回線等の公衆回線５を介して接続されて構成されている。以下では、プロジェクタ１ａ、１ｂ、１ｃ、１ｄをそれぞれ区別する必要がない場合には、それらを総称してプロジェクタ１とする。
【００１３】
尚、ネットワーク３に接続されているプロジェクタ１の数は一例であり、これらがもっと多く接続された大規模なシステムであっても良い。また、それぞれ異なるプロジェクタ１が接続された複数のネットワークが公衆回線５を介して制御端末２と接続される構成としても良いし、プロジェクタ１と制御端末２とが同一のネットワーク上に接続されて構成されていても良い。
【００１４】
また、図１におけるネットワーク３、４は、例えば、オフィスＬＡＮ（Ｌｏｃａｌ  Ａｒｅａ  Ｎｅｔｗｏｒｋ）などの限定されたネットワークであり、プロジェクタ１と制御端末２とは、夫々のＬＡＮを介して公衆回線５に接続されるが、公衆回線５に直接接続される態様とすることも可能である。
【００１５】
また、図１におけるネットワーク３、４、公衆回線５は、例えば、Ｅｔｈｅｒｎｅｔ（登録商標）やＵＳＢ（Ｕｎｉｖｅｒｓａｌ  Ｓｅｒｉａｌ  Ｂｕｓ）、Ｂｌｕｅｔｏｏｔｈ（登録商標）、Ｗｉ−Ｆｉ（Ｗｉｒｅｌｅｓｓ  Ｆｉｄｅｌｉｔｙ）（登録商標）、ＦｅｌｉＣａ（登録商標）、ＰＣＩｅ（Ｐｅｒｉｐｈｅｒａｌ  Ｃｏｍｐｏｎｅｎｔ  Ｉｎｔｅｒｃｏｎｎｅｃｔ  Ｅｘｐｒｅｓｓ）、ＶＧＡ（Ｖｉｄｅｏ  Ｇｒａｐｈｉｃｓ  Ａｒｒａｙ）、ＤＶＩ（Ｄｉｇｉｔａｌ  Ｖｉｓｕａｌ  Ｉｎｔｅｒｆａｃｅ）、ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）規格などのインタフェースを利用したネットワークにより実現されても良い。
【００１６】
プロジェクタ１は、入力された映像信号（以下、「投影データ」とする）に応じて、光源から射出される光束を変調して光学像（以下、「投影画像」とする）を形成し、形成した投影画像を壁やスクリーンなどの投影面６上に拡大して投影表示する。
【００１７】
また、本実施形態に係るマルチプロジェクションシステムにおいて、プロジェクタ１ａ、１ｂ、１ｃ、１ｄは、制御端末２による制御のもと、図２、図３に示すように、それら４台で疑似的に一つの大画面を映し出し、その大画面において一つの画像を表示することができるように構成されている。従って、本実施形態に係るマルチプロジェクションシステムは、多数の視聴者に向けて広告やメッセージなどの情報を発信することができる。
【００１８】
尚、図２、３においては、４台のプロジェクタで疑似的に一つの大画面を映し出し、その大画面において一つの画像を表示する例について示しているが、２台、若しくは、３台のプロジェクタで疑似的に一つの大画面を映し出し、その大画面において一つの画像を表示しても良い。
【００１９】
また、本実施形態に係るマルチプロジェクションシステムにおいて、プロジェクタ１ａ、１ｂ、１ｃ、１ｄは、制御端末２による制御のもと、図２、図３に示すように、投影画像を切り替えたり、静止画だけではなく動画を表示したりすることにより多種多様な情報を発信することができる。
【００２０】
制御端末２は、各プロジェクタ１に投影パラメータを設定するためにユーザが操作するための端末であり、サーバ装置やＰＣ（Ｐｅｒｓｏｎａｌ  Ｃｏｍｐｕｔｅｒ）、スマートフォン、タブレット端末、ＰＤＡ（Ｐｅｒｓｏｎａｌ  Ｄｉｇｉｔａｌ  Ａｓｓｉｓｔａｎｔ）などの情報処理装置によりによって実現される。
【００２１】
ここで、投影パラメータとは、各プロジェクタ１から表示される投影画像の明るさ、輝度、色合い、コントラスト、色温度、ガンマ、表示サイズ、アスペクト比などを調整するためのパラメータである。即ち、本実施形態においては、投影パラメータが動作制御情報として設定される。
【００２２】
また、制御端末２は、各プロジェクタ１にそれぞれ投影表示させるべき投影画像に応じた投影データを作成して各プロジェクタ１に送信すると共に、投影画像の表示タイミングを指示する。
【００２３】
次に、本実施形態に係るプロジェクタ１のハードウェア構成について、図４を参照して説明する。図４は、本実施形態に係るプロジェクタ１のハードウェア構成を模式的に示すブロック図である。
【００２４】
図４に示すように、本実施形態に係るプロジェクタ１は、ＣＰＵ（Ｃｅｎｔｒａｌ  Ｐｒｏｃｅｓｓｉｎｇ  Ｕｎｉｔ）１１、ＲＡＭ（Ｒａｎｄｏｍ  Ａｃｃｅｓｓ  Ｍｅｍｏｒｙ）１２、ＲＯＭ（Ｒｅａｄ  Ｏｎｌｙ  Ｍｅｍｏｒｙ）１３、ＨＤＤ（Ｈａｒｄ  Ｄｉｓｋ  Ｄｒｉｖｅ）１４、操作表示装置１５、通信Ｉ／Ｆ１６、画像投影装置１７がバス１８を介して接続されて構成されている。
【００２５】
ＣＰＵ１１は演算手段であり、プロジェクタ１全体の動作を制御する。ＲＡＭ１２は、情報の高速な読み書きが可能な揮発性の記憶媒体であり、ＣＰＵ１１が情報を処理する際の作業領域として用いられる。ＲＯＭ１３は、読み出し専用の不揮発性記憶媒体であり、ファームウェア等のプログラムが格納されている。
【００２６】
ＨＤＤ１４は、情報の読み書きが可能な不揮発性の記憶媒体であり、画像データ等の各種データや、ＯＳ（Ｏｐｅｒａｔｉｎｇ  Ｓｙｓｔｅｍ）、各種制御プログラム、アプリケーション・プログラム等の各種プログラムを格納する。
【００２７】
操作表示装置１５は、プロジェクタ１に情報を入力するためのユーザインタフェースであり、キーボードやマウス、ボタン、タッチパネルなどの入力装置によって実現される。また、操作表示装置１５は、ユーザがプロジェクタ１の状態を確認するための視覚的ユーザインタフェースであり、ＬＣＤ（Ｌｉｑｕｉｄ  Ｃｒｙｓｔａｌ  Ｄｉｓｐｌａｙ）などの表示装置によって実現される。
【００２８】
通信Ｉ／Ｆ１６は、プロジェクタ１が他の装置と通信するためのインタフェースであり、Ｅｔｈｅｒｎｅｔ（登録商標）やＵＳＢ、Ｂｌｕｅｔｏｏｔｈ（登録商標）、Ｗｉ−Ｆｉ（登録商標）、ＦｅｌｉＣａ（登録商標）、ＰＣＩｅ、ＶＧＡ、ＤＶＩ、ＩＥＥＥ規格などのインタフェースが用いられる。
【００２９】
画像投影装置１７は、光源から射出される光束を変調して投影画像を形成し、形成した投影画像を壁やスクリーンなどの投影面６上に拡大して投影表示する。
【００３０】
このようなハードウェア構成において、ＲＯＭ１３やＨＤＤ１４若しくは光学ディスクなどの記憶媒体に格納されたプログラムがＲＡＭ１２に読み出され、ＣＰＵ１１がＲＡＭ１２に読み出されたプログラムに従って演算を行うことにより、ソフトウェア制御部が構成される。このようにして構成されたソフトウェア制御部と、ハードウェアとの組み合わせによって、本実施形態に係るプロジェクタ１の機能を実現する機能ブロックが構成される。
【００３１】
次に、本実施形態に係る制御端末２のハードウェア構成について、図５を参照して説明する。図５は、本実施形態に係る制御端末２のハードウェア構成を模式的に示すブロック図である。
【００３２】
図５に示すように、本実施形態に係る制御端末２は、ＣＰＵ２１、ＲＡＭ２２、ＲＯＭ２３、ＨＤＤ２４、操作表示装置２５、通信Ｉ／Ｆ２６、画像表示装置２７がバス２８を介して接続されて構成されている。
【００３３】
画像表示装置２７は、液晶ディスプレイなどの画像を表示するための装置である。尚、ＣＰＵ２１、ＲＡＭ２２、ＲＯＭ２３、ＨＤＤ２４、操作表示装置２５、通信Ｉ／Ｆ２６はそれぞれ、ＣＰＵ１１、ＲＡＭ１２、ＲＯＭ１３、ＨＤＤ１４、操作表示装置１５、通信Ｉ／Ｆ１６と同様であるため、詳細な説明については省略する。
【００３４】
次に、本実施形態に係るプロジェクタ１の機能構成について、図６を参照して説明する。図６は、本実施形態に係るプロジェクタ１の機能構成を模式的に示すブロック図である。
【００３５】
図６に示すように、本実施形態に係るプロジェクタ１は、コントローラ１００、ネットワークＩ／Ｆ１１０、画像投影部１２０、操作部１３０を有する。また、コントローラ１００は、主制御部１０１、入出力制御部１０２、表示制御部１０３、操作表示制御部１０４、設定情報記憶部１０５を備える。
【００３６】
ネットワークＩ／Ｆ１１０は、プロジェクタ１がネットワークを介して他の機器と通信するためのインタフェースである。ネットワークＩ／Ｆ１１０は、図４に示す通信Ｉ／Ｆ１６によって実現される。
【００３７】
画像投影部１２０は、投影データに応じた投影画像を投影表示する出力インタフェースである。画像投影部１２０は、図４に示す画像投影装置１７によって実現される。
【００３８】
操作部１３０は、プロジェクタ１の状態を視覚的に表示する出力インタフェースであると共に、タッチパネルとしてユーザがプロジェクタ１を直接操作し若しくはプロジェクタ１に対して情報を入力する際の入力インタフェースでもある。即ち、操作部１３０は、ユーザによる操作を受けるための画像を表示する機能を含む。操作部１３０は、図４に示す、操作表示装置１５によって実現される。
【００３９】
コントローラ１００は、ソフトウェアとハードウェアとの組み合わせによって構成される。具体的には、ＲＯＭ１３やＨＤＤ１４等の不揮発性記憶媒体に格納されたファームウェア等の制御プログラムが、ＲＡＭ１２にロードされ、それらのプログラムに従ってＣＰＵ１１が演算を行うことにより構成されるソフトウェア制御部と集積回路などのハードウェアとによってコントローラ１００が構成される。コントローラ１００は、プロジェクタ１全体を制御する制御部として機能する。
【００４０】
主制御部１０１は、コントローラ１００に含まれる各部を制御する役割を担い、コントローラ１００の各部に命令を与える。また、主制御部１０１は、入出力制御部１０２を制御し、ネットワークＩ／Ｆ１１０及びネットワークを介して他の装置にアクセスする。また、主制御部１０１は、表示制御部１０３を制御し、画像投影部１２０に投影画像を投影表示させる。また、主制御部１０１は、操作表示制御部１０４を制御し、操作部１３０に情報表示を行わせる。
【００４１】
入出力制御部１０２は、ネットワークＩ／Ｆ１１０及びネットワークを介して入力される信号や命令を主制御部１０１に入力する。また、入出力制御部１０２は、主制御部１０１の制御によりネットワークＩ／Ｆ１１０及びネットワークを介して信号や命令を送信する。
【００４２】
表示制御部１０３は、主制御部１０１の制御により画像投影部１２０に投影画像を投影表示させる。操作表示制御部１０４は、主制御部１０１の制御により操作部１３０に情報表示を行い若しくは操作部１３０を介して入力された情報を主制御部１０１に入力する。
【００４３】
設定情報記憶部１０５は、自機の投影パラメータ、自機を識別するためのＩＤ、自機の機器名称、自機の型番、自機のＩＰアドレスなどの個別機器情報を記憶する。以下では、ＩＤ、機器名称、型番、ＩＰアドレスを総称して「識別情報」とする。
【００４４】
また、設定情報記憶部１０５は、自機が他のプロジェクタ１とペアリングを構成している場合、ペアリング相手と共通で設定されている投影パラメータ、ペアリング相手の識別情報、プライマリ機器の識別情報などのペア機器情報を記憶する。
【００４５】
また、設定情報記憶部１０５は、プロジェクタ１が他のプロジェクタ１とペアリングを行う際にプライマリ機器を決定するための優先順位を記憶する。また、設定情報記憶部１０５は、ペアリングを行う際にペアリング相手の認証を行うための認証番号を記憶する。
【００４６】
次に、本実施形態に係る制御端末２の機能構成について、図７を参照して説明する。図７は、本実施形態に係る制御端末２の機能構成を模式的に示すブロック図である。
【００４７】
図７に示すように、本実施形態に係る制御端末２は、コントローラ２００、ネットワークＩ／Ｆ２１０、画像表示部２２０、操作部２３０を有する。また、コントローラ２００は、主制御部２０１、入出力制御部２０２、表示制御部２０３、操作表示制御部２０４を備える。
【００４８】
ネットワークＩ／Ｆ２１０は、制御端末２がネットワークを介して他の機器と通信するためのインタフェースである。ネットワークＩ／Ｆ２１０は、図５に示す通信Ｉ／Ｆ２６によって実現される。
【００４９】
画像表示部２２０は、画像データに応じた画像を表示する出力インタフェースである。画像表示部２２０は、図５に示す操作表示装置２５によって実現される。
【００５０】
操作部２３０は、制御端末２の状態を視覚的に表示する出力インタフェースであると共に、タッチパネルとしてユーザが制御端末２を直接操作し若しくは制御端末２に対して情報を入力する際の入力インタフェースでもある。即ち、操作部２３０は、ユーザによる操作を受けるための画像を表示する機能を含む。操作部２３０は、図５に示す、画像表示装置２７によって実現される。
【００５１】
コントローラ２００は、ソフトウェアとハードウェアとの組み合わせによって構成される。具体的には、ＲＯＭ２３やＨＤＤ２４等の不揮発性記憶媒体に格納されたファームウェア等の制御プログラムが、ＲＡＭ２２にロードされ、それらのプログラムに従ってＣＰＵ２１が演算を行うことにより構成されるソフトウェア制御部と集積回路などのハードウェアとによってコントローラ２００が構成される。コントローラ２００は、制御端末２全体を制御する制御部として機能する。
【００５２】
主制御部２０１は、コントローラ２００に含まれる各部を制御する役割を担い、コントローラ２００の各部に命令を与える。また、主制御部２０１は、入出力制御部２０２を制御し、ネットワークＩ／Ｆ２１０及びネットワークを介して他の装置にアクセスする。また、主制御部２０１は、表示制御部２０３を制御し、画像表示部２２０に画像を表示させる。また、主制御部２０１は、操作表示制御部２０４を制御し、操作部２３０に情報表示を行わせる。
【００５３】
入出力制御部２０２は、ネットワークＩ／Ｆ２１０及びネットワークを介して入力される信号や命令を主制御部２０１に入力する。また、入出力制御部２０２は、主制御部２０１の制御によりネットワークＩ／Ｆ２１０及びネットワークを介して信号や命令を送信する。
【００５４】
表示制御部２０３は、主制御部１０１の制御により画像表示部２２０に画像を表示させる。操作表示制御部２０４は、主制御部２０１の制御により操作部２３０に情報表示を行い若しくは操作部２３０を介して入力された情報を主制御部２０１に入力する。
【００５５】
次に、本実施形態に係るプロジェクタ１がマルチプロジェクションシステムを構成する際の処理について、図８を参照して説明する。図８は、本実施形態に係るプロジェクタ１がマルチプロジェクションシステムを構成する際の処理を説明するためのシーケンス図である。
【００５６】
尚、図８においては、プロジェクタ１ａへの操作により、プロジェクタ１ａとプロジェクタ１ｂとがペアリングを構成し、それら２台でマルチプロジェクションシステムを構成する例について説明する。
【００５７】
図８に示すように、本実施形態に係るプロジェクタ１ａは、マルチプロジェクションシステムを構成する際にはまず、ユーザによるペアリング操作を受け付ける（Ｓ８０１）。
【００５８】
このとき、プロジェクタ１ａにおいては、操作表示制御部１０４が操作部１３０を介してペアリング操作を受け付け、その操作情報を主制御部１０１に入力する。即ち、本実施形態においては、ペアリング操作が関連付操作として受け付けられ、操作表示制御部１０４が関連付操作受付部として機能する。
【００５９】
そして、プロジェクタ１ａは、ネットワークを介して自機に接続されている他のプロジェクタ１を検索する（Ｓ８０２）。
【００６０】
このとき、プロジェクタ１ａにおいては、主制御部１０１が検索コマンドを生成し、その検索コマンドを、入出力制御部１０２が主制御部１０１の制御によりネットワークＩ／Ｆ１１０を介して送信することで他のプロジェクタ１を検索する。尚、このとき、プロジェクタ１ａは、ＵＰｎＰ（Ｕｎｉｖｅｒｓａｌ  Ｐｌｕｇ  ａｎｄ  Ｐｌａｙ）などのプロトコルに従って他のプロジェクタ１を検索する。
【００６１】
検索対象となったプロジェクタ１ｂ〜１ｄはそれぞれ、検索応答として自機の識別情報を検索元のプロジェクタ１ａに送信する（Ｓ８０３〜Ｓ８０５）。
【００６２】
このとき、プロジェクタ１ｂ〜１ｄのそれぞれにおいては、入出力制御部１０２がネットワークＩ／Ｆ１１０を介してプロジェクタ１ａから送信されてきた検索コマンドを受信し、その検索コマンドを主制御部１０１に入力することで、検索対象となっていることを検知する。
【００６３】
そして、プロジェクタ１ｂ〜１ｄのそれぞれにおいて、主制御部１０１が設定情報記憶部１０５に記憶されている自機の識別情報を読み出し、その識別情報を入出力制御部１０２が主制御部１０１の制御によりネットワークＩ／Ｆ１１０を介してプロジェクタ１ａに送信する。
【００６４】
そして、プロジェクタ１ａは、各プロジェクタ１から通知された識別情報に基づいて、ペアリング設定画面を画像投影部１２０から投影面６に投影表示する（Ｓ８０６）。このとき、プロジェクタ１ａにおいては、表示制御部１０３が主制御部１０１の制御により画像投影部１２０にペアリング設定画面を表示させる。
【００６５】
このときのペアリング設定画面の表示例を図９に示す。図９は、本実施形態に係るプロジェクタ１ａが投影表示するペアリング設定画面の表示例を示す図である。図９に示すように、ペアリング設定画面には、プロジェクタ１ａが検索したプロジェクタ１ｂ、１ｃ、１ｄが選択可能なように表示される。従って、ユーザは、このようなペアリング設定画面を確認することで、プロジェクタ１ａに接続されているプ他のプロジェクタ１ａを把握することが可能である。
【００６６】
プロジェクタ１ａは、このようなペアリング設定画面においてユーザによる選択操作を受け付けると（Ｓ８０７）、選択されたプロジェクタ１ｂに対してペアリング要求を行い（Ｓ８０８）、認証番号入力画面を表示する（Ｓ８０９）。
【００６７】
このとき、プロジェクタ１ａにおいては、操作表示制御部１０４が操作部１３０を介して選択操作を受け付け、その操作情報を主制御部１０１に入力する。また、このとき、プロジェクタ１ａにおいては、主制御部１０１が生成したペアリング要求コマンドを、入出力制御部１０２が主制御部１０１の制御によりネットワークＩ／Ｆ１１０を介してプロジェクタ１ｂ送信することでペアリング要求を行う。
【００６８】
また、このとき、プロジェクタ１ａにおいては、表示制御部１０３が主制御部１０１の制御により画像投影部１２０に認証番号入力画面を表示させる。
【００６９】
このときの認証番号入力画面の表示例を図１０に示す。図１０は、本実施形態に係るプロジェクタ１ａが投影表示する認証番号入力画面の表示例を示す図である。図１０に示すように、認証番号入力画面には、認証番号が入力可能なように表示される。
【００７０】
尚、プロジェクタ１ａは、Ｓ８０７における受付処理において選択されたプロジェクタ１が、プロジェクタ１ａとは機種や型番、機能などの機器情報が異なるなどにより、ペアリングを構成することができないと判定した場合、エラー通知画面を画像投影部１２０から投影面６に投影表示する。
【００７１】
このとき、プロジェクタ１ａにおいては、主制御部１０１がペアリングを構成することができるか否かを判定し、表示制御部１０３が主制御部１０１の制御により画像投影部１２０にエラー通知画面を表示させる。即ち、本実施形態においては、主制御部１０１が関連付判定部として機能する。
【００７２】
このときのエラー通知画面の表示例を図１１に示す。図１１は、本実施形態に係るプロジェクタ１ａが投影表示するエラー通知画面の表示例を示す図である。図１１に示すように、エラー通知画面には、ペアリング設定画面において選択されたプロジェクタ１とはペアリングを構成することができない旨が表示される。従って、ユーザは、このようなエラー通知画面を確認することで、プロジェクタ１ａとペアリングを構成することができないプロジェクタ１を把握することが可能である。
【００７３】
そして、プロジェクタ１ｂは、プロジェクタ１ａからペアリング要求されると、画像投影部１２０から投影面６に認証番号通知画面を投影表示する（Ｓ８１０）。このとき、プロジェクタ１ｂにおいては、入出力制御部１０２がネットワークＩ／Ｆ１１０を介してプロジェクタ１ａから送信されてきたペアリング要求コマンドを受信し、そのペアリング要求コマンドを主制御部１０１に入力することで、ペアリング要求されたことを検知する。
【００７４】
このときの認証番号通知画面の表示例を図１２に示す。図１２は、本実施形態に係るプロジェクタ１ｂが投影表示する認証号通知画面の表示例を示す図である。図１２に示すように、認証番号通知画面には、自機に登録されている認証番号が表示されると共に、その認証番号をペアリングの相手となる機器、即ち、プロジェクタ１ａに入力するように促す旨が表示される。
【００７５】
そして、プロジェクタ１ａは、認証番号入力画面においてユーザによる認証番号の入力操作を受け付けると（Ｓ８１１）、プロジェクタ１ｂに受け付けた認証番号を送信する（Ｓ８１２）。
【００７６】
このとき、プロジェクタ１ａにおいては、操作表示制御部１０４が操作部１３０を介して入力操作を受け付け、入力された認証番号を主制御部１０１に入力する。また、このとき、プロジェクタ１ａにおいては、入出力制御部１０２が主制御部１０１の制御により、入力された認証番号をプロジェクタ１ｂに送信する。
【００７７】
プロジェクタ１ｂは、プロジェクタ１ａから認証番号を受信すると、受信した認証番号と自機に登録されている認証番号との照合を行い、両者が一致した場合にはペアリングに成功した旨をプロジェクタ１ａに通知する（Ｓ８１３）。
【００７８】
このとき、プロジェクタ１ｂにおいては、入出力制御部１０２がネットワークＩ／Ｆ１１０を介してプロジェクタ１ａから送信されてきた認証番号を受信し、その認証番号を主制御部１０１に入力する。そして、プロジェクタ１ｂにおいて、主制御部１０１が設定情報記憶部１０５に記憶されている自機の認証番号と入力された認証番号との照合を行い、両者が一致するか否かを判定することで、ペアリングに成功したか否かを判定する。
【００７９】
そして、プロジェクタ１ｂにおいて、その判定結果を入出力制御部１０２が主制御部１０１の制御によりネットワークＩ／Ｆ１１０を介してプロジェクタ１ａに通知する。
【００８０】
このように、本実施形態に係るマルチプロジェクションシステムは、プロジェクタ１ａに入力された認証番号とプロジェクタ１ｂに登録されている認証番号とが一致した場合に限りペアリングが成功となるため、不特定にペアリングが構成されることを防ぐことができる。
【００８１】
尚、プロジェクタ１ｂは、Ｓ８１３における認証処理においてペアリングに失敗した場合、プロジェクタ１ａにペアリングが失敗した旨を通知する。そして、プロジェクタ１ａは、ペアリング失敗画面を表示する。このとき、プロジェクタ１ａにおいては、表示制御部１０３が主制御部１０１の制御により画像投影部１２０にペアリング失敗画面を投影表示させる。
【００８２】
このときのペアリング失敗画面の表示例を図１３に示す。図１３は、本実施形態に係るプロジェクタ１ａが投影表示するペアリング失敗画面の表示例を示す図である。図１３に示すように、ペアリング失敗画面には、プロジェクタ１ｂとのペアリングに失敗した旨が表示される。従って、ユーザは、このようなペアリング失敗画面を確認することで、ペアリングが失敗したことを把握することが可能である。
【００８３】
そして、プロジェクタ１ａは、プロジェクタ１ｂからペアリングに成功した旨が通知されると、ペアリングされた機器をまとめるための代表となる機器としてプライマリ機器を決定し（Ｓ８１４）、決定したプライマリ機器がプロジェクタ１ａであることをプロジェクタ１ｂに通知する（Ｓ８１５）。尚、図８においては、ペアリング操作が行われたプロジェクタ１ａがプライマリ機器として決定される例について示している。
【００８４】
このとき、プロジェクタ１ａにおいては、入出力制御部１０２がネットワークＩ／Ｆ１１０を介してプロジェクタ１ｂから通知された判定結果を主制御部１０１に入力することで、主制御部１０１がペアリングに成功したか否かを検知する。
【００８５】
そして、プロジェクタ１ａにおいて、ペアリングに成功した場合、主制御部１０１がプライマリ機器を決定した後、ペア機器情報を生成して設定情報記憶部１０５に記憶させることでプロジェクタ１ｂとペアリングを構成する。そして、プロジェクタ１ａにおいて、入出力制御部１０２が主制御部１０１の制御によりネットワークＩ／Ｆ１１０を介してプライマリ機器の識別情報をプロジェクタ１ｂに通知する。
【００８６】
即ち、本実施形態においては、主制御部１０１が関連機器情報生成部として機能し、ペア機器情報が関連機器情報として生成される。また、本実施形態においては、主制御部１０１が代表機器決定部として機能し、プライマリ機器が代表機器として決定される。
【００８７】
このように、本実施形態に係るマルチプロジェクションシステムは、ペアリング操作が行われたプロジェクタ１ａをプライマリ機器として自動的に決定するため、ユーザの利便性を向上させることが可能である。
【００８８】
尚、このとき、プロジェクタ１ａは、ペアリング状態画面を画像投影部１２０から投影面６に投影表示する。このとき、プロジェクタ１ａにおいては、表示制御部１０３が主制御部１０１の制御により画像投影部１２０にペアリング状態画面を投影表示させる。
【００８９】
このときのペアリング状態画面の表示例を図１４に示す。図１４は、本実施形態に係るプロジェクタ１ａが投影表示するペアリング状態画面の表示例を示す図である。図１４に示すように、ペアリング状態画面には、ペアリングを構成している機器が表示される。従って、ユーザは、このようなペアリング状態画面を確認することで、プロジェクタ１ａとペアリングを構成しているプロジェクタ１を把握することが可能である。
【００９０】
そして、プロジェクタ１ｂは、プライマリ機器がプロジェクタ１ａであることが通知されると、プロジェクタ１ａをプライマリ機器として自機に設定する（Ｓ８１６）。
【００９１】
このとき、プロジェクタ１ｂにおいては、入出力制御部１０２が主制御部１０１の制御によりネットワークＩ／Ｆ１１０を介してプロジェクタ１ａから通知されたプライマリ機器の識別情報を受信して、その識別情報を主制御部１０１に入力する。そして、プロジェクタ１ｂにおいて、主制御部１０１が入力されたプライマリ機器の識別情報を設定情報記憶部１０５に記憶させることでプライマリ機器を自機に設定する。
【００９２】
本実施形態に係るプロジェクタ１ａは、図８を参照して説明した処理により、プロジェクタ１ｂとペアリングを構成し、そのプロジェクタ１ｂとでマルチプロジェクションシステムを構成する。
【００９３】
尚、図８においては、ペアリング操作が行われたプロジェクタ１ａがプライマリ機器として決定される例について説明したが、各機器に予め設定されている優先順位に基づいてプライマリ機器が決定されても良い。
【００９４】
そこで、本実施形態に係るプロジェクタ１がマルチプロジェクションシステムを構成する際に、各機器に予め設定されている優先順位に基づいてプライマリ機器を決定する場合の処理について、図１５を参照して説明する。図１５は、本実施形態に係るプロジェクタ１がマルチプロジェクションシステムを構成する際の処理を説明するためのシーケンス図である。尚、図１５においては、プロジェクタ１ａへの操作により、プロジェクタ１ａとプロジェクタ１ｂとがペアリングを構成し、それら２台でマルチプロジェクションシステムを構成する例について説明する。
【００９５】
図１５に示すように、本実施形態に係るプロジェクタ１ａがマルチプロジェクションシステムを構成する際にはまず、プロジェクタ１ａ〜１ｂはそれぞれ、図８に示すＳ８０１〜Ｓ８１３と同様の処理を行う（Ｓ１５０１〜Ｓ１５０３）。
【００９６】
そして、プロジェクタ１ｂは、自機に登録されている優先順位をプロジェクタ１ａに通知する（Ｓ１５１４）。このとき、プロジェクタ１ｂにおいては、主制御部１０１が設定情報記憶部１０５から自機の優先順位を読み出し、その優先順位を入出力制御部１０２が主制御部１０１の制御によりネットワークＩ／Ｆ１１０を介してプロジェクタ１ａに通知する。
【００９７】
プロジェクタ１ａは、プロジェクタ１ｂから優先順位が通知されると、自機に登録されている優先順位との比較を行い、優先順位が高い方をプライマリ機器として決定し（Ｓ１５１５）、決定したプライマリ機器がプロジェクタ１ｂであることをプロジェクタ１ｂに通知する（Ｓ１５１６）。尚、図１５においては、プロジェクタ１ｂの方がプロジェクタ１ａよりも優先順位が高い例について示している。
【００９８】
このとき、プロジェクタ１ａにおいては、入出力制御部１０２がネットワークＩ／Ｆ１１０を介してプロジェクタ１ｂから通知された優先順位を受信し、その優先順位を主制御部１０１に入力する。そして、プロジェクタ１ａにおいて、主制御部１０１が設定情報記憶部１０５に記憶されている自機の優先順位と入力された優先順位とを比較し、優先順位が高い方をプライマリ機器として決定する。そして、プロジェクタ１ａにおいて、入出力制御部１０２が主制御部１０１の制御によりネットワークＩ／Ｆ１１０を介してプライマリ機器の識別情報をプロジェクタ１ｂに通知する。
【００９９】
このように、本実施形態に係るマルチプロジェクションシステムは、優先順位の高いプロジェクタ１ｂをプライマリ機器として自動的に決定するため、ユーザの利便性を向上させることが可能である。
【０１００】
そして、プロジェクタ１ｂは、プライマリ機器がプロジェクタ１ｂであることが通知されると、プロジェクタ１ｂをプライマリ機器として自機に設定する（Ｓ１５１７）。
【０１０１】
このとき、プロジェクタ１ｂにおいては、入出力制御部１０２が主制御部１０１の制御によりネットワークＩ／Ｆ１１０を介してプロジェクタ１ａから通知されたプライマリ機器の識別情報を受信して、その識別情報を主制御部１０１に入力する。そして、プロジェクタ１ｂにおいて、主制御部１０１が入力されたプライマリ機器の識別情報を設定情報記憶部１０５に記憶させることでプライマリ機器を自機に設定する。
【０１０２】
次に、本実施形態に係る制御端末２からプロジェクタ１の投影パラメータを設定する際の処理について、図１６を参照して説明する。図１６は、本実施形態に係る制御端末２からプロジェクタ１の投影パラメータを設定する際の処理を説明するためのシーケンス図である。
【０１０３】
尚、図１６においては、プロジェクタ１ａとプロジェクタ１ｂとがペアリングを構成しており、プロジェクタ１ａがプライマリ機器である例について示している。また、図１６においては、ペアリングを構成しているプロジェクタ１ａとプロジェクタ１ｂとの投影パラメータを設定する例について示している。以下では、ペアリングを構成しているプロジェクタ１を「ペア機器」とする。
【０１０４】
図１６に示すように、本実施形態に係る制御端末２は、プロジェクタ１の投影パラメータを設定する際にはまず、ユーザによる投影パラメータ設定操作を受け付ける（Ｓ１６０１）。このとき、制御端末２は、操作表示制御部２０４が操作部２３０を介してパラメータ設定操作を受け付け、その操作情報を主制御部２０１に入力する。
【０１０５】
そして、制御端末２は、ネットワークを介して自機に接続されているプロジェクタ１を検索する（Ｓ１６０２）。このとき、制御端末２においては、主制御部２０１が生成した検索コマンドを、入出力制御部２０２が主制御部２０１の制御によりネットワークＩ／Ｆ２１０を介して送信することでプロジェクタ１を検索する。尚、このとき、制御端末２は、ＵＰｎＰなどのプロトコルに従って他のプロジェクタ１を検索する。
【０１０６】
検索対象となったプロジェクタ１ａは、プロジェクタ１ｂとペアリングを構成するプライマリ機器であるため、検索応答としてプロジェクタ１ｂとのペア機器情報を検索元の制御端末２に送信する（Ｓ１６０３）。
【０１０７】
このとき、プロジェクタ１ａにおいては、入出力制御部１０２がネットワークＩ／Ｆ１１０を介して制御端末２から送信されてきた検索コマンドを受信し、その検索コマンドを主制御部１０１に入力することで、検索対象となっていることを検知する。
【０１０８】
そして、プロジェクタ１ａにおいて、主制御部１０１が設定情報記憶部１０５に記憶されているプロジェクタ１ｂとのペア機器情報を読み出し、そのペア機器情報を入出力制御部１０２が主制御部１０１の制御によりネットワークＩ／Ｆ１１０を介して制御端末２に送信する。即ち、本実施形態においては、入出力制御部１０２が関連機器情報通知部として機能する。
【０１０９】
プロジェクタ１ａは、このように、ペア機器情報を制御端末２に送信することで、自機がプロジェクタ１ｂとペアリングを構成していることを制御端末２に通知するようになっている。このとき、プロジェクタ１ａは、ＵＰｎＰやＳＮＭＰ（Ｓｉｍｐｌｅ  Ｎｅｔｗｏｒｋ  Ｍａｎａｇｅｍｅｎｔ  Ｐｒｏｔｏｃｏｌ）などのプロトコルに従ってプロジェクタ１ｂとペアリングを構成していることを制御端末２に通知する。
【０１１０】
また、他に検索対象となったプロジェクタ１ｃ、１ｄはそれぞれ、検索応答として自機の個別機器情報を検索元の制御端末２に送信する（Ｓ１６０４、Ｓ１６０５）。尚、このとき、プロジェクタ１ｂは、プロジェクタ１ａとペアリングを構成しているが、プライマリ機器ではないため、検索応答を行わない。
【０１１１】
このとき、プロジェクタ１ｃ、１ｄのそれぞれにおいては、入出力制御部１０２がネットワークＩ／Ｆ１１０を介してプロジェクタ１ａから送信されてきた検索コマンドを受信し、その検索コマンドを主制御部１０１に入力することで、検索対象となっていることを検知する。
【０１１２】
そして、プロジェクタ１ｃ、１ｄのそれぞれにおいて、主制御部１０１が設定情報記憶部１０５に記憶されている自機の個別機器情報を読み出し、その個別機器情報を入出力制御部１０２が主制御部１０１の制御によりネットワークＩ／Ｆ１１０を介して制御端末２に送信する。即ち、本実施形態においては、主制御部１０１が個別機器情報取得部として機能する。
【０１１３】
そして、制御端末２は、各プロジェクタ１から通知されたペア機器情報、個別機器情報に基づいて、設定機器選択画面を画像表示部２２０に表示する（Ｓ１６０６）。このとき、制御端末２は、表示制御部２０３が主制御部２０１の制御により画像表示部２２０に設定機器選択画面を表示させる。
【０１１４】
このときの設定機器選択画面の表示例を図１７に示す。図１７は、本実施形態に係る制御端末２が表示する設定機器選択画面の表示例を示す図である。図１７に示すように、設定機器選択画面には、制御端末２が検索したペア機器、プロジェクタ１ｃ、プロジェクタ１ｄが選択可能なように表示される。尚、図１７に示すように、設定機器選択画面には、ペアリングを構成しているペア機器については一括して選択可能なように表示される。
【０１１５】
このように、本実施形態に係るマルチプロジェクションシステムは、プライマリ機器が代表してペア機器情報を制御端末２に送信することで、ペア機器全体を一括して選択可能なように設定機器選択画面を表示するように構成されている。従って、ユーザは、このような設定機器選択画面において選択操作を行うことで、ペア機器全体を一括して選択することが可能である。
【０１１６】
また、ユーザは、このような設定機器選択画面を確認することで、どのプロジェクタ１がペアリングを構成していて、どのプロジェクタ１がペアリングを構成せずに独立しているのかを把握することが可能である。
【０１１７】
そのため、ユーザは、このような設定機器選択画面を確認することで、どのプロジェクタ１に対して投影パラメータを設定すれば、その投影パラメータがペア機器全体に反映されるのかを容易に判断することが可能である。これにより、本実施形態に係るマルチプロジェクションシステムは、ユーザによる投影パラメータの設定操作を簡素化することが可能である。
【０１１８】
制御端末２は、このような設定機器選択画面においてユーザによる選択操作を受け付けると（Ｓ１６０７）、各プロジェクタ１から通知されたペア機器情報、個別機器情報に基づいて、選択されたプロジェクタ１若しくはペア機器に対するパラメータ設定画面を表示する（Ｓ１６０８）。
【０１１９】
このとき、制御端末２においては、操作表示制御部２０４が操作部２３０を介して選択操作を受け付け、その操作情報を主制御部２０１に通知する。そして、制御端末２において、表示制御部２０３が主制御部２０１の制御により入力された操作情報に応じてパラメータ設定画面を画像表示部２２０に表示させる。即ち、本実施形態においては、操作表示制御部２０４が入力画面表示制御部として機能し、パラメータ設定画面が動作制御情報入力画面として表示される。
【０１２０】
このときのパラメータ設定画面の表示例を図１８に示す。図１８は、本実施形態に係る制御端末２が表示するパラメータ設定画面の表示例を示す図である。図１８に示すように、パラメータ設定画面には、投影パラメータが設定可能なように表示される。また、設定機器選択画面においてペア機器が選択された場合、図１８に示すように、パラメータ設定画面には、ペア機器の投影パラメータを一括して設定可能なように表示される。
【０１２１】
このように、本実施形態に係るマルチプロジェクションシステムは、プライマリ機器が代表してペア機器情報を制御端末２に送信することで、ペア機器全体に対して一括して投影パラメータを設定可能なようにパラメータ設定画面を表示するように構成されている。
【０１２２】
従って、ユーザは、このようなパラメータ設定画面で投影パラメータを設定することで、ペア機器全体に対して一括して投影パラメータを設定することが可能である。これにより、本実施形態に係るマルチプロジェクションシステムは、ユーザによる投影パラメータの設定操作を簡素化することが可能である。
【０１２３】
制御端末２は、このようなパラメータ設定画面においてユーザによる投影パラメータの設定操作を受け付けると（Ｓ１６０９）、設定された投影パラメータをプロジェクタ１ａに通知する（Ｓ１６１０）。
【０１２４】
このとき、制御端末２においては、操作表示制御部２０４が操作部２３０を介して設定操作を受け付け、入力された投影パラメータを主制御部２０１に入力する。そして、制御端末２において、入力された投影パラメータを入出力制御部２０２が主制御部２０１の制御によりネットワークＩ／Ｆ２１０を介してプロジェクタ１ａに通知する。
【０１２５】
プロジェクタ１ａは、制御端末２から投影パラメータが通知されると、その投影パラメータを自機に設定すると共に（Ｓ１６１１）、プロジェクタ１ｂに通知する（Ｓ１６１２）。
【０１２６】
このとき、プロジェクタ１ａにおいては、入出力制御部１０２がネットワークＩ／Ｆ１１０を介して制御端末２から通知された投影パラメータを主制御部１０１に入力し、その投影パラメータを主制御部１０１が設定情報記憶部１０５に記憶させることで自機に設定する。
【０１２７】
そして、プロジェクタ１ａにおいて、その投影パラメータを入出力制御部１０２が主制御部１０１の制御によりネットワークＩ／Ｆ１１０を介してプロジェクタ１ｂに通知する。即ち、本実施形態においては、主制御部１０１が動作制御情報取得部として機能し、入出力制御部１０２が動作制御情報通知部として機能する。
【０１２８】
そして、プロジェクタ１ｂは、プロジェクタ１ａから投影パラメータが通知されると、その投影パラメータを自機に設定する（Ｓ１６１３）。このとき、プロジェクタ１ｂにおいては、入出力制御部１０２がネットワークＩ／Ｆ１１０を介してプロジェクタ１ａから通知された投影パラメータを主制御部１０１に入力し、その投影パラメータを主制御部１０１が設定情報記憶部１０５に記憶させることで自機に設定する。
【０１２９】
尚、図１６においては、プロジェクタ１ａが、制御端末２から通知された投影パラメータをペアリング相手であるプロジェクタ１ｂに通知する例について説明したが、制御端末２が、ペア機器に一括して投影パラメータを通知しても良い。
【０１３０】
そこで、本実施形態に係る制御端末２からプロジェクタ１の投影パラメータを設定する際に、制御端末２がペア機器に一括して投影パラメータを通知する場合の処理について、図１９を参照して説明する。図１９は、本実施形態に係る制御端末２からプロジェクタ１の投影パラメータを設定する際の処理を説明するためのシーケンス図である。
【０１３１】
尚、図１９においては、プロジェクタ１ａとプロジェクタ１ｂとがペアリングを構成しており、プロジェクタ１ａがプライマリ機器である例について示している。また、図１６においては、ペアリングを構成しているプロジェクタ１ａとプロジェクタ１ｂとの投影パラメータを設定する例について示している。
【０１３２】
図１９に示すように、本実施形態に係る制御端末２からプロジェクタ１の投影パラメータを設定する際にはまず、制御端末２、プロジェクタ１ａ〜１ｂはそれぞれ、図１６に示すＳ１６０１〜Ｓ１６０９と同様の処理を行う（Ｓ１９０１〜Ｓ１９０９）。
【０１３３】
そして、制御端末２は、パラメータ設定画面においてユーザによる投影パラメータの設定操作を受け付けると（Ｓ１９０９）、設定された投影パラメータをプロジェクタ１ａとプロジェクタ１ｂとに一括して通知する（Ｓ１９１０）。
【０１３４】
プロジェクタ１ａ、１ｂはそれぞれ、制御端末２から投影パラメータが通知されると、その投影パラメータを自機に設定する（Ｓ１９１１、Ｓ１９１２）。
【０１３５】
尚、図１６及び図１９においては、プライマリ機器であるプロジェクタ１ａが検索応答としてペア機器情報を制御端末２に送信する例について説明したが、プロジェクタ１ａ、プロジェクタ１ｂがそれぞれ、ペア機器情報の他に個別機器情報を送信しても良い。
【０１３６】
そこで、本実施形態に係る制御端末２からプロジェクタ１の投影パラメータを設定する際に、プロジェクタ１ａ、プロジェクタ１ｂがそれぞれ、ペア機器情報の他に個別機器情報も送信する場合の処理について、図２０を参照して説明する。図２０は、本実施形態に係る制御端末２からプロジェクタ１の投影パラメータを設定する際の処理を説明するためのシーケンス図である。
【０１３７】
図２０に示すように、本実施形態に係る制御端末２からプロジェクタ１の投影パラメータを設定する際にはまず、制御端末２は、図１６に示すＳ１６０１、Ｓ１６０２と同様の処理を行う（Ｓ２００１、Ｓ２００２）。
【０１３８】
検索対象となったプロジェクタ１ａは、プロジェクタ１ｂとペアリングを構成するプライマリ機器であるため、検索応答としてプロジェクタ１ｂとのペア機器情報を検索元の制御端末２に送信すると共に（Ｓ２００３）、自機の個別機器情報を送信する（Ｓ２００４）。
【０１３９】
このとき、プロジェクタ１ａにおいては、入出力制御部１０２がネットワークＩ／Ｆ１１０を介して制御端末２から送信されてきた検索コマンドを受信し、その検索コマンドを主制御部１０１に入力することで、検索対象となっていることを検知する。
【０１４０】
そして、プロジェクタ１ａにおいて、主制御部１０１が設定情報記憶部１０５に記憶されているプロジェクタ１ｂとのペア機器情報及び自機の個別機器情報を読み出し、そのペア機器情報及び個別機器情報を入出力制御部１０２が主制御部１０１の制御によりネットワークＩ／Ｆ１１０を介して制御端末２に送信する。即ち、本実施形態においては、入出力制御部１０２が個別機器情報通知部として機能する。
【０１４１】
また、他に検索対象となったプロジェクタ１ｂ〜１ｄはそれぞれ、検索応答として自機の個別機器情報を検索元の制御端末２に送信する（Ｓ２００５〜Ｓ２００７）。
【０１４２】
このとき、プロジェクタ１ｂ〜１ｄのそれぞれにおいては、入出力制御部１０２がネットワークＩ／Ｆ１１０を介して制御端末２から送信されてきた検索コマンドを受信し、その検索コマンドを主制御部１０１に入力することで、検索対象となっていることを検知する。
【０１４３】
そして、プロジェクタ１ｂ〜１ｄのそれぞれにおいて、主制御部１０１が設定情報記憶部１０５に記憶されている自機の個別機器情報を読み出し、その個別機器情報を入出力制御部１０２が主制御部１０１の制御によりネットワークＩ／Ｆ１１０を介して制御端末２に送信する。
【０１４４】
そして、制御端末２は、各プロジェクタ１から通知されたペア機器情報、個別機器情報に基づいて、設定機器選択画面を画像表示部２２０に表示する（Ｓ２００８）。
【０１４５】
このときの設定機器選択画面の表示例を図２１に示す。図２１は、本実施形態に係る制御端末２が表示する設定機器選択画面の表示例を示す図である。図２１に示すように、設定機器選択画面には、制御端末２が検索したペア機器、プロジェクタ１ａ〜１ｄが選択可能なように表示される。尚、図２１に示すように、設定機器選択画面には、ペアリングを構成しているペア機器については一括して選択可能なように表示される他、そのペア機器を構成しているプロジェクタ１ａとプロジェクタ１ｂとがそれぞれ個別に選択可能なように表示される。
【０１４６】
このように、本実施形態に係るマルチプロジェクションシステムは、プライマリ機器が代表してペア機器情報を制御端末２に送信すると共に、ペア機器を構成する各プロジェクタ１がそれぞれ個別機器情報を制御端末２に送信するように構成されている。
【０１４７】
これにより、本実施形態に係るマルチプロジェクションシステムは、ペア機器全体を一括して選択可能なだけでなく、ペア機器を構成する各プロジェクタ１を個別に選択可能なように設定機器選択画面を表示するように構成されている。
【０１４８】
従って、ユーザは、このような設定機器選択画面において選択操作を行うことで、ペア機器全体を一括して選択するだけでなく、ペア機器を構成する各プロジェクタ１を個別に選択することが可能である。
【０１４９】
制御端末２は、このような設定機器選択画面においてユーザによる選択操作を受け付けると（Ｓ２００９）、各プロジェクタ１から通知されたペア機器情報、個別機器情報に基づいて、選択されたプロジェクタ１に対するパラメータ設定画面を表示する（Ｓ２０１０）。
【０１５０】
このときのパラメータ設定画面の表示例を図２２に示す。図２２は、本実施形態に係る制御端末２が表示するパラメータ設定画面の表示例を示す図である。図２２に示すように、パラメータ設定画面には、投影パラメータが設定可能なように表示される。また、設定機器選択画面においてペア機器を構成する各プロジェクタ１が個別に選択された場合、図２２に示すように、パラメータ設定画面には、ペア機器を構成する各プロジェクタ１の投影パラメータを個別に設定可能なように表示される。
【０１５１】
このように、本実施形態に係るマルチプロジェクションシステムは、プライマリ機器が代表してペア機器情報を制御端末２に送信すると共に、ペア機器を構成する各プロジェクタ１がそれぞれ個別機器情報を制御端末２に送信するように構成されている。
【０１５２】
これにより、本実施形態に係るマルチプロジェクションシステムは、ペア機器全体に対して一括して投影パラメータを設定可能なだけでなく、ペア機器を構成する各プロジェクタ１に対して個別に投影パラメータを設定可能なようにパラメータ設定画面を表示するように構成されている。
【０１５３】
従って、ユーザは、このようなパラメータ設定画面で投影パラメータを設定することで、ペア機器全体に対して一括で投影パラメータを設定するだけでなく、ペア機器を構成する各プロジェクタ１に対して個別に投影パラメータを設定することが可能である。
【０１５４】
後の処理については、図１６に示すＳ１６０７〜Ｓ１６１３と同様の処理（Ｓ２００９〜Ｓ２０１６）であるため説明を省略する。
【０１５５】
尚、図２０においては、プロジェクタ１ａが、制御端末２から通知された投影パラメータをペアリング相手であるプロジェクタ１ｂに通知する例について説明したが、図１９を参照して説明した処理と同様に、制御端末２が、ペア機器に一括して投影パラメータを通知しても良い。
【符号の説明】
【０１５６】
１  プロジェクタ
１ａ  プロジェクタ
１ｂ  プロジェクタ
１ｃ  プロジェクタ
１ｄ  プロジェクタ
２  制御端末
１１  ＣＰＵ
１２  ＲＡＭ
１３  ＲＯＭ
１４  ＨＤＤ
１５  操作表示装置
１６  通信Ｉ／Ｆ
１７  画像投影装置
１８  バス
２１  ＣＰＵ
２２  ＲＡＭ
２３  ＲＯＭ
２４  ＨＤＤ
２５  操作表示装置
２６  通信Ｉ／Ｆ
２７  画像表示装置
２８  バス
１０１  主制御部
１０２  入出力制御部
１０３  表示制御部
１０４  操作表示制御部
１０５  設定情報記憶部
１１０  ネットワークＩ／Ｆ
１２０  画像投影部
１３０  操作部
２０１  主制御部
２０２  入出力制御部
２０３  表示制御部
２０４  操作表示制御部
２１０  ネットワークＩ／Ｆ
２２０  画像表示部
２３０  操作部
【先行技術文献】
【特許文献】
【０１５７】
【特許文献１】特開２００５−２７４９３７号公報
【図１】
2016164620.tif 000003
【図２】
2016164620.tif 000004
【図３】
2016164620.tif 000005
【図４】
2016164620.tif 000006
【図５】
2016164620.tif 000007
【図６】
2016164620.tif 000008
【図７】
2016164620.tif 000009
【図８】
2016164620.tif 000010
【図９】
2016164620.tif 000011
【図１０】
2016164620.tif 000012
【図１１】
2016164620.tif 000013
【図１２】
2016164620.tif 000014
【図１３】
2016164620.tif 000015
【図１４】
2016164620.tif 000016
【図１５】
2016164620.tif 000017
【図１６】
2016164620.tif 000018
【図１７】
2016164620.tif 000019
【図１８】
2016164620.tif 000020
【図１９】
2016164620.tif 000021
【図２０】
2016164620.tif 000022
【図２１】
2016164620.tif 000023
【図２２】
2016164620.tif 000024